(57)【要約】【課題】  シンプルな構造で低コスト、さらには挿抜作業が容易で実装密度向上にも寄与する光コネクタ挿抜治具を提供する。【解決手段】  本体部２と、その本体部２に連続するとともに相対向する略棒状の一方の腕部３及び他方の腕部４と、一方の腕部３及び他方の腕部４の間に形成されるブーツ差し込み空間５及び光ファイバ逃がし空間６と、少なくとも一方の腕部３の端面に形成されるハウジング当接面３ｄと、他方の腕部４からその前方にのびるとともに内側に引っ掛かり部７ａを有する爪部７とを設けて、光コネクタ挿抜治具１を構成する。【選択図】    図１
2005266100.tif 000002
【特許請求の範囲】
【請求項１】
アダプタに差し込むとロックがなされて取り付けが完了し、且つ、前記アダプタに取り付けられた状態でロック部の押下を行うと該ロック部のロック解除がなされて前記アダプタからの引き抜きが可能となる光コネクタに用いられる挿抜治具であって、
本体部と、該本体部に連続するとともに相対向する略棒状の一方及び他方の腕部と、該一方及び他方の腕部の間に形成されるブーツ差し込み空間及び光ファイバ逃がし空間と、少なくとも前記一方の腕部の端面に形成されるハウジング当接面と、前記他方の腕部からその前方にのびるとともに内側に引っ掛かり部を有する爪部とを設け、
前記ハウジング当接面を前記光コネクタのハウジング端面に当接させると、前記爪部による前記ロック部の押下がなされるとともに前記ロック部に対する引っ掛かりが生じて前記光コネクタの保持がなされ、一方、該光コネクタの保持状態で回転操作を行うと、前記ロック部に対する引っ掛かりが外れるとともに押下の状態が解除される
ことを特徴とする光コネクタ挿抜治具。
【請求項２】
請求項１に記載の光コネクタ挿抜治具において、
前記一方の腕部の前記ブーツ部差し込み空間側の内面を曲面形状に形成する
ことを特徴とする光コネクタ挿抜治具。
【請求項３】
請求項１又は請求項２に記載の光コネクタ挿抜治具において、
前記一方の腕部の端面と前記他方の腕部の端面との位置を前後方向にずらして、前記他方の腕部の端部を前記ロック部に対する当接部分とする
ことを特徴とする光コネクタ挿抜治具。
【請求項４】
請求項１ないし請求項３いずれか記載の光コネクタ挿抜治具において、
前記爪部を前記他方の腕部に対して着脱自在とする
ことを特徴とする光コネクタ挿抜治具。
【請求項５】
請求項１ないし請求項４いずれか記載の光コネクタ挿抜治具において、
前記一方及び他方の腕部を、光ファイバとブーツとの間に介在するチューブ部材の端部よりも後方位置で幅広となるように形成する
ことを特徴とする光コネクタ挿抜治具。
【請求項６】
請求項１ないし請求項５いずれか記載の光コネクタ挿抜治具において、
前記爪部の外面位置を前記ロック部の頂部位置に略一致させる
ことを特徴とする光コネクタ挿抜治具。
【発明の詳細な説明】
【技術分野】
【０００１】
本発明は、ロック部を有する光コネクタに用いられる治具であって、詳しくは、光コネクタを嵌合相手のアダプタに対して挿抜自在にする光コネクタ挿抜治具に関する。
【背景技術】
【０００２】
ロック部を有する光コネクタを嵌合相手のアダプタに対して挿抜するためには、手による挿抜を行うことが一般的である。しかしながら、多数のアダプタを有するキャビネットに光コネクタを高密度実装するためには、光コネクタ挿抜治具が必要になってくる。従来知られている光コネクタ挿抜治具としては、下記特許文献１、２に開示されたものが例えば挙げられる。
【特許文献１】特開２００２−２６７８８２号公報  （第３頁、第１−３図）
【特許文献２】特開平１１−１１９０５８号公報  （第３−４頁、第２−５図）
【発明の開示】
【発明が解決しようとする課題】
【０００３】
ところで、上記特許文献１の従来技術にあっては、光コネクタを挿抜するために可動部機構が必要になることから、その機構によって治具製作費用が嵩むとともに、光ファイバの挟み込み防止対策を付加しなければならないという問題点を有している。また、治具が光コネクタの幅方向に大きくなる構造になっていることから、実装密度の向上を図るために有利な方向と一致してしまうという問題点を有している。
【０００４】
一方、上記特許文献２の従来技術にあっては、可動部機構を持たないため構造がシンプルになるものの、光コネクタを挿入する部分と引き抜く部分とが異なる位置に存在することから次のような問題点を有している。すなわち、作業時において治具の使用方向を確認する必要があり面倒であるという問題点と、使用していない部分が邪魔になり持ち難いという問題点（持ち易くするためには大型化する）とを有している。その他、上記特許文献１の従来技術と同様、治具が光コネクタの幅方向に大きくなる構造になっていることから、実装密度の向上を図るために有利な方向と一致してしまうという問題点を有している。
【０００５】
本発明は、上述した事情に鑑みてなされるもので、シンプルな構造で低コスト、さらには挿抜作業が容易で実装密度向上にも寄与する光コネクタ挿抜治具を提供することを課題とする。
【課題を解決するための手段】
【０００６】
上記課題を解決するためになされた請求項１記載の本発明の光コネクタ挿抜治具は、アダプタに差し込むとロックがなされて取り付けが完了し、且つ、前記アダプタに取り付けられた状態でロック部の押下を行うと該ロック部のロック解除がなされて前記アダプタからの引き抜きが可能となる光コネクタに用いられる挿抜治具であって、本体部と、該本体部に連続するとともに相対向する略棒状の一方及び他方の腕部と、該一方及び他方の腕部の間に形成されるブーツ差し込み空間及び光ファイバ逃がし空間と、少なくとも前記一方の腕部の端面に形成されるハウジング当接面と、前記他方の腕部からその前方にのびるとともに内側に引っ掛かり部を有する爪部とを設け、前記ハウジング当接面を前記光コネクタのハウジング端面に当接させると、前記爪部による前記ロック部の押下がなされるとともに前記ロック部に対する引っ掛かりが生じて前記光コネクタの保持がなされ、一方、該光コネクタの保持状態で回転操作を行うと、前記ロック部に対する引っ掛かりが外れるとともに押下の状態が解除されることを特徴としている。
【０００７】
請求項２記載の本発明の光コネクタ挿抜治具は、請求項１に記載の光コネクタ挿抜治具において、前記一方の腕部の前記ブーツ部差し込み空間側の内面を曲面形状に形成することを特徴としている。
【０００８】
請求項３記載の本発明の光コネクタ挿抜治具は、請求項１又は請求項２に記載の光コネクタ挿抜治具において、前記一方の腕部の端面と前記他方の腕部の端面との位置を前後方向にずらして、前記他方の腕部の端部を前記ロック部に対する当接部分とすることを特徴としている。
【０００９】
請求項４記載の本発明の光コネクタ挿抜治具は、請求項１ないし請求項３いずれか記載の光コネクタ挿抜治具において、前記爪部を前記他方の腕部に対して着脱自在とすることを特徴としている。
【００１０】
請求項５記載の本発明の光コネクタ挿抜治具は、請求項１ないし請求項４いずれか記載の光コネクタ挿抜治具において、前記一方及び他方の腕部を、光ファイバとブーツとの間に介在するチューブ部材の端部よりも後方位置で幅広となるように形成することを特徴としている。
【００１１】
請求項６記載の本発明の光コネクタ挿抜治具は、請求項１ないし請求項５いずれか記載の光コネクタ挿抜治具において、前記爪部の外面位置を前記ロック部の頂部位置に略一致させることを特徴としている。
【００１２】
尚、上記の特徴を有する本発明の作用については、発明を実施するための最良の形態の欄で詳細に説明する。
【発明の効果】
【００１３】
請求項１に記載された本発明によれば、シンプルな構造となる光コネクタ挿抜治具を提供することができるという効果を奏する。また、構造がシンプルであることから、低コストとなる光コネクタ挿抜治具を提供することができるという効果を奏する。さらに、挿抜を行う部分が同じ位置にあることから、作業を容易とする光コネクタ挿抜治具を提供することができるという効果を奏する。さらにまた、光コネクタの幅方向に大きくならない構造であることから、実装密度の向上を図ることが可能な光コネクタ挿抜治具を提供することができるという効果を奏する。
【００１４】
請求項２に記載された本発明によれば、一方の腕部の内面を曲面形状にすると、ハウジング当接面の当接面積を増大させることができる。従って、アダプタに対する光コネクタの差し込みを一層安定した状態で行うことができるという効果を奏する。
【００１５】
請求項３に記載された本発明によれば、一方の腕部の端面を光コネクタのハウジング端面に当接させ、他方の腕部の端部を光コネクタのロック部に当接させることができる。従って、アダプタに対する光コネクタの差し込みを一層安定した状態で行うことができるという効果を奏する。
【００１６】
請求項４に記載された本発明によれば、治具全体でなく爪部のみを消耗品扱いにすることができる。従って、より安価な光コネクタ挿抜治具にすることができるという効果を奏する。
【００１７】
請求項５に記載された本発明によれば、治具が光ファイバとブーツとの間に介在するチューブ部材に引っ掛からないことから、作業性の向上を図ることができるという効果を奏する。また、一方及び他方の腕部の剛性を十分に確保することができるという効果を奏する。
【００１８】
請求項６に記載された本発明によれば、治具が光コネクタの幅方向のみならず上下方向にも大きくならない構造になることから、一層、実装密度を向上させることができるという効果を奏する。
【発明を実施するための最良の形態】
【００１９】
以下、図面を参照しながら説明する。
図１は本発明の光コネクタ挿抜治具の一実施の形態を示す斜視図である。また、図２（ａ）は光コネクタ挿抜治具の上部側から見た図、（ｂ）は側部側から見た図、（ｃ）は先端部側から見た図である。さらに、図３〜図８は光コネクタ取り外し手順に関する説明図、図９〜図１３は光コネクタ取り挿入手順に関する説明図である。
【００２０】
図１及び図２において、引用符号１は本発明の光コネクタ挿抜治具を示している。本発明の光コネクタ挿抜治具１は、光コネクタ（例えば既知のＬＣ型の光コネクタ：ＩＥＣ６１７５４−２０にて国際標準化）を嵌合相手となるアダプタに対して挿抜するために用いられる治具であって、従来例のような可動部機構を一切持たず、また、一つの構造部分で挿抜両方の作業を行うことができ、さらには、挿抜に必要となるスペースを小さくすることができるような構造に構成されている。すなわち、本発明の光コネクタ挿抜治具１は、本体部２と、相対向する一方の腕部３及び他方の腕部４と、ブーツ差し込み空間５及び光ファイバ逃がし空間６と、爪部７とを備えて構成されている。
【００２１】
上記引用符号３〜７の構成は、図示のように、本体部２の一方側に備えられている。本体部２の他方側には、グリップ部８が設けられている。グリップ部８の設定は、任意であるものとする。操作性の面から、本形態においては、グリップ部８が設けられている。以下、上記各構成について説明する。
【００２２】
本体部２は、本形態において、ＳＵＳ製であって適宜長さを有する円筒形状に形成されている（特に形状を限定しない）。ここで補足説明をすると、ＳＵＳ製の円筒は、治具としての剛性を十分に確保することができ、また、中実のものと比較すると重量及び材料費の低減に効果的である。本形態の本体部２は、光コネクタと後述するブーツのサイズに丁度よく合った内外径を有する市販のＳＵＳパイプが用いられている。
【００２３】
一方の腕部３及び他方の腕部４は、それぞれ本体部２の上記一方側に連成されている。すなわち、一方の腕部３及び他方の腕部４は、本体部２の一方側に一体化されている。一方の腕部３及び他方の腕部４は、本体部２の一方側からその前方へのびる略棒状の部分として形成されている。一方の腕部３及び他方の腕部４は、本形態において、上記ＳＵＳパイプを切削加工することにより形成されている。他方の腕部４は、光コネクタの後述するロック部に対応する上部側に形成されている。また、一方の腕部３は、他方の腕部４の反対側となる下部側に形成されている。
【００２４】
一方の腕部３及び他方の腕部４は、幅広の剛性確保部分３ａ、４ａと、幅狭の挟持部分３ｂ、４ｂとをそれぞれ有している。すなわち、一方の腕部３及び他方の腕部４は、その幅が段付きとなる形状に形成されている。一方の腕部３及び他方の腕部４の段部３ｃ、４ｃの位置は、後述する光ファイバとブーツとの間に介在するチューブ部材の端部よりも後方位置に設定されている。
【００２５】
一方の腕部３及び他方の腕部４の長さは、光ファイバ逃がし空間６を介して引き出される光ファイバの曲げ状態を考慮（急激な曲げにならないようにする）して設定されている。一方の腕部３及び他方の腕部４の内面形状は、曲面形状に形成されている（Ｖ溝形状でもよい。また、効果が半減するがフラット形状でもよい）。曲面形状は、後述するブーツをガイドしたり、後述する回転操作に役立っている。また、次に説明するハウジング当接面３ｄの光コネクタに対する当接面積を増大させるためにも役立っている。
【００２６】
ハウジング当接面３ｄは、一方の腕部３の端面に形成されている。ハウジング当接面３ｄは、光コネクタの後述するハウジング端面に当接して光コネクタの差し込みに寄与するように形成されている。他方の腕部４の端面には、後述するロック部に対しての当接部分４ｄが形成されている。他方の腕部４の端面に形成される当接部分４ｄは、光コネクタの差し込みや保持状態の安定性確保に役立つようになっている。当接部分４ｄは、ハウジング当接面３ｄよりも若干前方となる位置に形成されている（当接部分４ｄとハウジング当接面３ｄとを同じ位置に形成して、共にハウジング端面に当接させることも可能）。
【００２７】
ブーツ差し込み空間５及び光ファイバ逃がし空間６は、一方の腕部３及び他方の腕部４の間に形成される連続した空間であって、光ファイバ逃がし空間６の方が本体部２側に形成されている。ブーツ差し込み空間５及び光ファイバ逃がし空間６には、後述するブーツ及び光ファイバが差し込まれるようになっている。ブーツ差し込み空間５及び光ファイバ逃がし空間６は、本形態の場合、一方の腕部３及び他方の腕部４を形成するために、上記ＳＵＳパイプにスリットを入れると簡単に形成することができるようになっている。
【００２８】
爪部７は、他方の腕部４からその前方にのびる部分であって、略棒状の形状に形成されている。爪部７は、他方の腕部４に対して別体に形成されており（一体に形成してもよい）、ネジ止め等で他方の腕部４の外面に固定されている。爪部７の内側（内面）には、引っ掛かり部７ａが形成されている。引っ掛かり部７ａは、例えば断面略三角形状の突起となるように形成されている。引っ掛かり部７ａの位置は、後述するロック部の位置に合わせて形成されている。本形態においては、ロック部を構成するトリガーガード（ヨーク）の図示しない溝又は突起に引っ掛かるような位置に形成されている（尚、このような位置に限定されないものとする。ロック部の形状に応じて適宜位置を設定すればよい）。
【００２９】
引っ掛かり部７ａの幅方向の端部には、特に図示しないが、微少なＲ部分が形成されている。これは、後述する回転操作の際にロック部から外れ易いように、また、傷を付けないようにするために形成されている。爪部７の前端には、テーパ面７ｂが形成されている。テーパ面７ｂは、ロック部を滑ってスムーズなロック部の押下を行えるように設定されている。尚、本形態において、爪部７の後端７ｃは、他方の腕部４の剛性確保部分４ａまでのびるように形成されている（爪部７の剛性が向上する）。爪部７の中間には、貫通孔７ｄが形成されている。貫通孔７ｄには、他方の腕部４の図示しない位置決め突起が差し込まれている（爪部７の固定作業が容易になる）。爪部７の外面位置は、後述するロック部の頂部位置に略一致するように形成されている（ロック部よりも高さが高くならないことが好ましい）。
【００３０】
グリップ部８は、作業者の手で握る部分であって、適宜固定方法で本体部２に取り付けられている。グリップ部８には、滑り止め部分８ａが形成されている。グリップ部８を取り付けることにより、操作性及び作業性の向上が図られるようになっている。グリップ部８は、作業者が誤って床に落とした場合に、重さでグリップ部８が先に床にぶつかり、治具要部の損傷が最小限に止められるという利点を有している。
【００３１】
次に、上記構成に基づいて本発明の光コネクタ挿抜治具１の作用を説明する（先に、光コネクタ及びこれに関連する部材の説明をしてから、作用の説明をする）。
【００３２】
図３において、キャビネット１１には、多数のアダプタ１２が設けられている。光コネクタ１３は、アダプタ１２に差し込まれ、そして、嵌合して光学的に接続されている。光コネクタ１３のハウジング１４には、その上面にロック部１５が設けられている。ロック部１５は、例えば片持ち梁状のラッチングアーム１６と、同じく片持ち梁状のトリガーガード１７とを備えて構成されており、ラッチングアーム１６の自由端となる先端の上にトリガーガード１７の先端が重なるように配置形成されている。ロック部１５は、押下されるとアダプタ１２との間のロック状態が解除されるように形成されている。ハウジング１４の後部端面、すなわちハウジング端面１８からは、既知の光ファイバ１９が引き出されている。光ファイバ１９は、ハウジング端面１８に接するように設けられる既知のブーツ２０によって、その曲げ量が規制されている。ブーツ２０と光ファイバ１９との間には、チューブ部材２１が設けられている（チューブ部材２１は無くてもよい）。
【００３３】
光コネクタ１３の取り外しの際には、先ず図３に示されるように（光コネクタ挿抜治具１に関しては図１及び図２を参照）、光コネクタ１３の後方より、爪部７を上にした状態でブーツ２０に沿って真っ直ぐ前方に光コネクタ挿抜治具１（図中では形状を分かり易くするために細かいドットで表示する）を挿入する作業を行う。ブーツ差し込み空間５及び光ファイバ逃がし空間６には、ブーツ２０及び光ファイバ１９が差し込まれる。光コネクタ挿抜治具１の挿入を続けると、図４に示されるように、爪部７がロック部１５の外面を滑ってこれを押下する。そして、ハウジング当接面３ｄがハウジング端面１８に当接するとともに、当接部分４ｄがトリガーガード１７の基端部分に当接する。これにより、光コネクタ１３が光コネクタ挿抜治具１に支持固定されるとともに、光コネクタ１３とアダプタ１２との間のロック状態が解除される。光コネクタ挿抜治具１は、この時点において、光コネクタ１３を支持固定しつつ光コネクタ１３を恰も押し込んだような状態になる。そして、図５に示されるように、光コネクタ挿抜治具１を真っ直ぐ後方に移動させると、光コネクタ１３がアダプタ１２から引き抜かれる。アダプタ１２から引き抜かれた光コネクタ１３は、図６及び図７に示されるように、作業者の例えば左手２２の指先で摘まれ、図示しない右手で持った光コネクタ挿抜治具１を図中の矢印のように回転操作する（左右どちら側に回転させてもよい）ひねり外しの作業を行うことにより、図８に示されるように取り外される。
【００３４】
一方、光コネクタ１３のアダプタ１２への取り付けの際には、先ず図８に示される状態から、光コネクタ１３の後方より、爪部７を上にした状態でブーツ２０に沿って、図９に示されるように、真っ直ぐ前方に光コネクタ挿抜治具１を挿入する作業を行う。ブーツ差し込み空間５及び光ファイバ逃がし空間６には、ブーツ２０及び光ファイバ１９が差し込まれる。光コネクタ挿抜治具１の挿入を続けると、爪部７がロック部１５を押下する。そして、ハウジング当接面３ｄがハウジング端面１８に当接するとともに、当接部分４ｄがトリガーガード１７の基端部分に当接する。これにより、光コネクタ１３が光コネクタ挿抜治具１に支持固定される。そして、図１０に示されるように、光コネクタ１３を支持固定した光コネクタ挿抜治具１を、対応するアダプタ１２に向けて真っ直ぐ前方に移動させると、光コネクタ１３はアダプタ１２に差し込まれる。光コネクタ挿抜治具１による光コネクタ１３の挿入を続けると、図１１に示されるように、光コネクタ１３はアダプタ１２に完全に押し込まれる。この状態において、図１２に示されるように、光コネクタ挿抜治具１を図中の矢印のように回転操作する（左右どちら側に回転させてもよい）と、ロック部１５に対する引っ掛かり部７ａの引っ掛かりが外れるとともに、ロック部１５に対する押下の状態が解除される。これにより、アダプタ１２とのロックが完了する。その後、図１３に示されるように、光コネクタ挿抜治具１を真っ直ぐ後方に移動させると、光コネクタ１３のアダプタ１２への取り付けが完了する。
【００３５】
以上、図１ないし図１３を参照しながら説明してきたように、本発明の光コネクタ挿抜治具１は、シンプルな構造である。また、本発明の光コネクタ挿抜治具１は、構造がシンプルであることから、低コストで提供することができる。さらに、本発明の光コネクタ挿抜治具１は、挿抜を行う部分が同じ位置にあることから、容易に作業を行うことができる。さらにまた、本発明の光コネクタ挿抜治具１は、光コネクタ１３の幅方向や上下方向に大きくならない構造であることから、実装密度の向上を図ることができる。
【００３６】
その他、本発明は本発明の主旨を変えない範囲で種々変更実施可能なことは勿論である。尚、爪部７の形状に若干の変更を加えれば、又は、別の爪部に取り替えれば、上記光コネクタ１３以外の形状となる光コネクタにも当然に用いることができるものとする。
【図面の簡単な説明】
【００３７】
【図１】本発明による光コネクタ挿抜治具の一実施の形態を示す斜視図である。
【図２】（ａ）は光コネクタ挿抜治具の上部側から見た図、（ｂ）は側部側から見た図、（ｃ）は先端部側から見た図である。
【図３】光コネクタ取り外し手順に関し、治具を光コネクタ後方からブーツに沿って挿入する状態の説明図である。
【図４】光コネクタ取り外し手順に関し、治具を押し込んだ状態の説明図である。
【図５】光コネクタ取り外し手順に関し、光コネクタをアダプタから引き抜く状態の説明図である。
【図６】光コネクタ取り外し手順に関し、治具から光コネクタを手でひねり外す状態の説明図である。
【図７】光コネクタ取り外し手順に関し、治具から光コネクタを手でひねり外した直後の状態の説明図である。
【図８】光コネクタ取り外し手順に関し、取り外し後の光コネクタの状態の説明図である。
【図９】光コネクタ取り挿入手順に関し、治具を光コネクタ後方からブーツに沿って挿入する状態の説明図である。
【図１０】光コネクタ取り挿入手順に関し、光コネクタをアダプタに差し込む状態の説明図である。
【図１１】光コネクタ取り挿入手順に関し、治具で光コネクタを押し込んだ状態の説明図である。
【図１２】光コネクタ取り挿入手順に関し、治具をひねり引っ掛かりを外した状態の説明図である。
【図１３】光コネクタ取り挿入手順に関し、治具の引き抜き状態の説明図である。
【符号の説明】
【００３８】
１  光コネクタ挿抜治具
２  本体部
３  一方の腕部
３ａ  剛性確保部分
３ｂ  挟持部分
３ｃ  段部
３ｄ  ハウジング当接面
４  他方の腕部
４ａ  剛性確保部分
４ｂ  挟持部分
４ｃ  段部
４ｄ  当接部分
５  ブーツ差し込み空間
６  光ファイバ逃がし空間
７  爪部
７ａ  引っ掛かり部
７ｂ  テーパ面
７ｃ  後端
７ｄ  貫通孔
８  グリップ部
８ａ  滑り止め部分
１１  キャビネット
１２  アダプタ
１３  光コネクタ
１４  ハウジング
１５  ロック部
１６  ラッチングアーム
１７  トリガーガード
１８  ハウジング端面
１９  光ファイバ
２０  ブーツ
２１  チューブ部材
２２  左手
【図１】
2005266100.tif 000003
【図２】
2005266100.tif 000004
【図３】
2005266100.tif 000005
【図４】
2005266100.tif 000006
【図５】
2005266100.tif 000007
【図６】
2005266100.tif 000008
【図７】
2005266100.tif 000009
【図８】
2005266100.tif 000010
【図９】
2005266100.tif 000011
【図１０】
2005266100.tif 000012
【図１１】
2005266100.tif 000013
【図１２】
2005266100.tif 000014
【図１３】
2005266100.tif 000015